(57)【要約】【課題】座体等の椅子用荷重支持部材の底付き感を抑えて座り心地を高めるとともに、耐久性、及び組立性に優れたものとする。【解決手段】座体は、骨格部を成す基板１３と、基板１３の表面側に配置されるクッション材１４と、基板１３の表面に沿った第一の方向に延びる複数のスリット３５の間に形成され、クッション材１４側から入力される荷重によって、荷重の入力方向に弾性変形可能なブリッジ部材３４と、を備える。ブリッジ部材３４は、基板１３の表面よりもクッション材１４側に突出し、前後方向ＦＲに延びる帯状部３９と、帯状部３９の前後方向ＦＲの両端部にそれぞれ形成され、基板１３に一体に連結された連結部と、を有する。ブリッジ部材３４は、ブリッジ部材３４の表面に沿った前後方向ＦＲの沿面寸法がスリット３５よりも長い。【選択図】図４
2018075079.tif 000002
【特許請求の範囲】
【請求項１】
骨格部を成す基板と、
前記基板の表面側に配置されるクッション材と、
前記基板の前記表面に沿った第一の方向に延びる複数のスリットの間に形成され、前記クッション材側から入力される荷重によって、前記基板の表面に直交する面直方向で前記クッション材と反対側に弾性変形可能なブリッジ部材と、を備え、
前記ブリッジ部材は、
前記基板の前記表面よりも前記クッション材側に突出し、前記第一の方向に延びる帯状部と、
前記帯状部の前記第一の方向の両端部にそれぞれ形成され、前記基板に一体に連結された連結部と、を備えるとともに、
前記ブリッジ部材の表面に沿った前記第一の方向の沿面寸法が前記スリットよりも長い、椅子用荷重支持部材。
【請求項２】
前記ブリッジ部材は、前記帯状部と前記連結部との間に、前記基板の前記表面に対して前記クッション材側とは反対側に向かってＵ字状に湾曲した湾曲支持部をさらに備え、
前記帯状部は、前記基板の前記表面と平行に延びている、
請求項１に記載の椅子用荷重支持部材。
【請求項３】
前記ブリッジ部材は、前記基板において、着座者の座骨を支持する領域に形成されている、請求項１または２に記載の椅子用荷重支持部材。
【請求項４】
前記ブリッジ部材は、前記第一の方向に交差する第二の方向に複数並設されている、
請求項１から３のいずれか一項に記載の椅子用荷重支持部材。
【請求項５】
前記第二の方向は、椅子の幅方向である、請求項４に記載の椅子用荷重支持部材。
【請求項６】
前記ブリッジ部材に隣接した位置に、前記ブリッジ部材とは前記スリットを隔てて形成され、前記基部の表面に沿って前記第一の方向に延びる延設部が形成されている、請求項４または５に記載の椅子用荷重支持部材。
【請求項７】
床面に設置される脚部と、
前記脚部に支持され、請求項１から６のいずれか一項に記載の椅子用荷重支持部材からなる座体と、
を備える椅子。
【発明の詳細な説明】
【技術分野】
【０００１】
本発明は、椅子用荷重支持部材、椅子に関する。
【背景技術】
【０００２】
事務用等として用いられる椅子の座体は、通常、骨格部を成す基板と、基板の上部に配置されたウレタン等からなるクッション材と、クッション材を覆うシート状の張材と、を備えている。
【０００３】
このような座体において、例えば特許文献１には、基板に複数のスリットを形成した構成が開示されている。このような構成によれば、複数のスリットを形成した領域において基板が、着座者の着座荷重によって弾性変形しやすくなる。これにより、着座したときの底付き感を抑え、座り心地を向上させている。
【０００４】
また、特許文献２には、基板上に、前後端部分の両方に立体支持部を備えて撓み変形可能なインナーシェルを備える構成が開示されている。このような構成によれば、着座者の着座荷重によってインナーシェルが上下方向に撓むように弾性変形することで、座り心地を向上させている。
【先行技術文献】
【特許文献】
【０００５】
【特許文献１】特開２０００−９３２５０号公報
【特許文献２】特開２０１３−９９５０４号公報
【発明の概要】
【発明が解決しようとする課題】
【０００６】
特許文献１に開示された構成においては、着座者の着座荷重によって基板が弾性変形するときには、互いに隣接するスリットの間で基板が帯状とされた部分が、着座荷重の方向に撓む。この帯状の部分が着座荷重の方向に沿って撓むときには、帯状の部分は、帯状の部分が連続する方向に伸縮する。
しかし、着座荷重によって、互いに隣接するスリットの間の帯状の部分が伸縮しようとすると、複数のスリットが形成されている領域の周囲の基板によって、帯状の部分の伸縮が阻害される。このため、基板の一部の領域に複数のスリットを形成しても、思うように座り心地を向上させるのは困難となっている。
互いに隣接するスリットの間の帯状の部分が伸縮しやすくするには、スリットの間隔を小さくし、互いに隣接するスリットの間の帯状の部分を細くすることが考えられる。しかし、帯状の部分を細くすると、弾性変形が生じやすくなる一方で、長期間にわたる使用によって、基板自体の劣化や、弾力性の低下を招く場合がある。
【０００７】
また、特許文献２に開示された構成においては、基板上に設けられた各インナーシェルが独立しているため、基板によってインナーシェルの弾性変形が阻害されることはない。しかし、このような構成では、基板上に複数のインナーシェルを設けなければならず、組立の際に手間が掛かる。
【０００８】
そこでなされた本発明の目的は、座体等の椅子用荷重支持部材の底付き感を抑えて座り心地を高めるとともに、耐久性、及び組立性に優れた椅子用荷重支持部材、椅子を提供することである。
【課題を解決するための手段】
【０００９】
本発明は、上記課題を解決するため、以下の手段を採用する。
この発明に係る椅子用荷重支持部材は、骨格部を成す基板と、前記基板の表面側に配置されるクッション材と、前記基板の前記表面に沿った第一の方向に延びる複数のスリットの間に形成され、前記クッション材側から入力される荷重によって、前記基板の表面に直交する面直方向で前記クッション材と反対側に弾性変形可能なブリッジ部材と、を備える。前記ブリッジ部材は、前記基板の前記表面よりも前記クッション材側に突出し、前記第一の方向に延びる帯状部と、前記帯状部の前記第一の方向の両端部にそれぞれ形成され、前記基板に一体に連結された連結部と、を備えるとともに、前記ブリッジ部材の表面に沿った前記第一の方向の沿面寸法が前記スリットよりも長い。
【００１０】
このように、クッション材側から入力された荷重によって、ブリッジ部材の帯状部が、基板の表面に直交する面直方向でクッション材と反対側、すなわち荷重の入力方向に弾性変形することで、座体等の椅子用荷重支持部材の底付き感を抑えることができる。
また、ブリッジ部材の帯状部は、基板の表面よりもクッション材側に突出しているので、クッション材側から入力される荷重を、ブリッジ部材で確実に受けることができ、底付き感を、より確実に抑えることができる。
また、ブリッジ部材は、ブリッジ部材の表面に沿った第一の方向の沿面寸法がスリットよりも長いので、荷重によるブリッジ部材の弾性変形が、周囲の基板によって阻害されにくい。
また、ブリッジ部材は、帯状部の両端部の連結部によって、基板に一体に連結されているので、部品点数や組立の手間が増えることもない。
【００１１】
また、この発明に係る椅子用荷重支持部材は、上記椅子用荷重支持部材において、前記ブリッジ部材は、前記帯状部と前記連結部との間に、前記基板の前記表面に対して前記クッション材側とは反対側に向かってＵ字状に湾曲した湾曲支持部をさらに備え、前記帯状部は、前記基板の前記表面と平行に延びているようにしてもよい。
【００１２】
このように、帯状部の両端部を湾曲支持部で支持し、帯状部を基板の表面と平行に延びるようにすることで、帯状部の全体で、クッション材側から入力される荷重を受けることができる。
また、U字状の湾曲支持部が広がるように弾性変形することで、クッション材側から荷重が入力されたときのブリッジ部材の撓み量を、より多く確保できる。
【００１３】
また、この発明に係る椅子用荷重支持部材は、上記椅子用荷重支持部材において、前記ブリッジ部材は、前記基板において、着座者の座骨を支持する領域に形成されているようにしてもよい。
【００１４】
このように構成することで、着座者が着座したときに、底付き感を感じるのを確実に抑えることができる。また、ブリッジ部材を、着座者の座骨を支持する領域のみに設けることで、基板全体の剛性が低下するのを抑えることができる。
【００１５】
また、この発明に係る椅子用荷重支持部材は、上記椅子用荷重支持部材において、前記ブリッジ部材は、前記第一の方向に交差する第二の方向に複数並設されているようにしてもよい。
【００１６】
このように、複数のブリッジ部材を並設することで、各ブリッジ部材を弾性変形しやすくすることができる。
【００１７】
また、この発明に係る椅子用荷重支持部材は、上記椅子用荷重支持部材において、前記第二の方向は、椅子の幅方向であるようにしてもよい。
【００１８】
このような構成によれば、複数のブリッジ部材は、椅子の幅方向に複数並設されることとなる。すると、複数のブリッジ部材のそれぞれは、それぞれのブリッジ部材に作用する着座者による荷重に応じて弾性変形する。つまり、着座者の座骨の形状等に合わせて、複数のブリッジ部材の変形量が椅子の幅方向で異なる。これによって、椅子用荷重支持部材が椅子の座体である場合、複数のブリッジ部材が設けられた領域を、正面視において、着座者による荷重に応じた下向きのカーブ状に変形させやすくなる。
【００１９】
また、この発明に係る椅子用荷重支持部材は、上記椅子用荷重支持部材において、前記ブリッジ部材に隣接した位置に、前記ブリッジ部材とは前記スリットを隔てて形成され、前記基部の表面に沿って前記第一の方向に延びる延設部が形成されているようにしてもよい。
【００２０】
このような構成によれば、着座者の荷重によって各ブリッジ部材が弾性変形しつつも、延設部によって基部が変形するのを抑えることができる。したがって、ブリッジ部材の周囲の部位においても、着座者の荷重を確実に支持することができる。
【００２１】
この発明に係る椅子は、床面に設置される脚部と、前記脚部に支持され、上記したような椅子用荷重支持部材からなる座体と、を備える。
【００２２】
このように構成することで、座体の底付き感を抑えることができる。ブリッジ部材の帯状部は、基板の表面よりもクッション材側に突出しているので、クッション材側から入力される荷重を、ブリッジ部材で確実に受けることができ、底付き感を、より確実に抑えることができる。
【発明の効果】
【００２３】
この発明に係る椅子用荷重支持部材、椅子によれば、座体等の椅子用荷重支持部材の底付き感を抑えて座り心地を高めるとともに、耐久性、及び組立性に優れたものとすることが可能となる。
【図面の簡単な説明】
【００２４】
【図１】この発明の一実施形態に係る椅子を斜め前方から見た斜視図である。
【図２】上記椅子を斜め後方から見た斜視図である。
【図３】上記椅子を左方から見た側面図である。
【図４】上記椅子の座体の構成を示す斜視展開図である。
【図５】上記座体に形成されたブリッジ部材を示す斜視断面図である。
【発明を実施するための形態】
【００２５】
以下、添付図面を参照して、本発明による椅子用荷重支持部材、椅子を実施するための形態を説明する。しかし、本発明はこの実施形態のみに限定されるものではない。
なお、以下の説明においては、椅子の背凭れ部に背中を向けて正規姿勢で着座した人の正面を向く向きを「前」と呼び、それと逆側の向きを「後」と呼ぶものとする。また、椅子に正規姿勢で着座した人の上方を向く向きを「上」、それと逆側の向きを「下」と呼び、椅子１に正規姿勢で着座した人の左方を「左」、右方を「右」と呼ぶものとする。
【００２６】
図１は、この発明の一実施形態に係る椅子を斜め前方から見た斜視図である。図２は、上記椅子を斜め後方から見た斜視図である。図３は、上記椅子を左方から見た側面図である。図４は、上記椅子の座体の構成を示す斜視展開図である。図５は、上記座体に形成されたブリッジ部材を示す斜視断面図である。
【００２７】
図１〜図３に示すように、この実施形態の椅子１は、床面Ｆ上に載置される脚部２と、脚部２の上端に設置されるボックス状の支基３と、着座者が着座する座体（椅子用荷重支持部材）４と、支基３の上面に取り付けられ座体４を支持する座受部材５と、支基３から後部上方側に延出して座体４に着座した着座者の背中を支持する背凭れ部６と、を備えている。
【００２８】
脚部２は、キャスタ７ａ付きの多岐脚７と、多岐脚７の中央部より起立し昇降機構であるガススプリングを内蔵する脚柱８と、を備えている。
【００２９】
支基３は、脚柱８の上端部に、水平方向に回転可能に取り付けられている。支基３には、脚柱８の昇降調整機構と背凭れ部６の傾動調整機構が内蔵されている。
【００３０】
背凭れ部６は、座体４に着座した着座者の背中からの荷重を支持する。この背凭れ部６は、背枠６０と、背枠６０に張設された張材６５と、を有している。
【００３１】
背枠６０は、その基部６１が、支基３内の傾動調整機構に連結されている。支基３には、傾動調整機構の操作ノブ１２が設けられており、この操作ノブ１２を操作することで、背枠を前後方向に傾動することができる。
【００３２】
図４に示すように、座体４は、骨格部を成す基板１３と、基板１３の上部に取り付けられるウレタン等から成るクッション材１４と、クッション材１４の外側面から基板１３の外周縁部に掛けてを覆う張材１５と、を備えている。
【００３３】
基板１３は、弾性を有する合成樹脂によって形成され、上面視では四隅が丸みを帯びた略長方形状とされている。基板１３は、支基３上に固定された座受部材５に前後スライド可能に保持されている。
【００３４】
図４、図５に示すように、基板１３は、板状の基部３１と、基部３１の外周部から上方に立ち上がる周壁部３２と、基部３１に形成された弾性変形部３３と、を一体に有している。
【００３５】
弾性変形部３３は、着座者が座体４に着座したときに、着座者の座骨の下方に位置するよう、基板１３の後方に形成されている。さらに、弾性変形部３３は、基部３１において、左右方向ＬＲの中心部を挟んで、その両側にそれぞれ設けられている。
【００３６】
各弾性変形部３３は、複数のブリッジ部材３４を備えている。
図５に示すように、各ブリッジ部材３４は、基板１３において前後方向（第一の方向）ＦＲに連続して延びている。ブリッジ部材３４は、前後方向ＦＲの両端部の連結部３４ａ，３４ｂが、基板１３に連結されることで、基板１３と一体に形成されている。
ブリッジ部材３４は、基板１３に左右方向（第二の方向）に間隔をあけて形成された、前後方向ＦＲに延びる二本のスリット３５，３５の間に形成され、連結部３４ａ，３４ｂの間のブリッジ本体３６が、基板１３とは独立している。ブリッジ本体３６は、連結部３４ａ，３４ｂから連続し、下方に向かってＵ字状に湾曲した湾曲支持部３７，３８と、湾曲支持部３７，３８の間において前後方向ＦＲに連続して延びる帯状部３９と、を一体に備える。ここで、湾曲支持部３７，３８は、連結部３４ａ，３４ｂ側よりも、帯状部３９側が上方に向かって突出しており、これによって、帯状部３９は、基板１３の基部３１よりも上方に突出した位置で、基部３１の表面３１ｆと平行に延びている。
このように、湾曲支持部３７，３８と、帯状部３９とを備えるブリッジ部材３４は、その前後方向ＦＲの沿面寸法が、スリット３５の前後方向ＦＲの長さよりも長くなっている。ここで、ブリッジ部材３４の前後方向ＦＲの沿面寸法とは、連結部３４ａ，３４ｂと、湾曲支持部３７，３８と、帯状部３９からなるブリッジ部材３４の表面３４ｆに沿った合計の長さ（図４中、点線Ｌの長さ）を示す。
【００３７】
この実施形態において、基部３１の左右方向ＬＲの中心を挟んでその両側にそれぞれ設けられた弾性変形部３３は、例えば３つのブリッジ部材３４を、左右方向ＬＲに間隔をあけて並設することで構成されている。
また、この実施形態において、互いに隣接するブリッジ部材３４，３４の間には、二つのスリット３５，３５間で、基部３１の表面３１ｆに沿って前後方向ＦＲに延びる延設部４０が形成されている。換言すると、延設部４０は、ブリッジ部材３４に隣接した位置に、ブリッジ部材３４とはスリット３５を隔てて形成されている。
【００３８】
クッション材１４は、基板１３の周壁部３２の内側で、基部３１の上方に配置されている。クッション材１４は、弾性変形部３３が形成されている部分においては、弾性変形部３３を構成する各ブリッジ部材３４の帯状部３９上に載置されている。
【００３９】
このような構成の座体４上に着座者が着座すると、その着座荷重によって、クッション材１４が弾性変形する。さらに、着座者の座骨の下方に設けられた弾性変形部３３のブリッジ部材３４は、クッション材１４を介して伝達される着座者の着座荷重に応じて、帯状部３９が、湾曲支持部３７，３８の間で、基板１３の表面に直交する上下方向（面直方向）でクッション材１４と反対側、つまり、荷重の入力方向である下方に撓むように弾性変形する。
このようにして、着座者は、クッション材１４及び弾性変形部３３のブリッジ部材３４の弾性変形によって、着座したときの底付き感を感じにくくなる。
また、ブリッジ部材３４に隣接した位置には延設部４０が形成されているため、着座者の荷重によって各ブリッジ部材３４が弾性変形しつつも、延設部４０によって基部３１が、前後方向ＦＲに延びるように変形するのを抑える。
【００４０】
上述したように、座体４４は、骨格部を成す基板１３と、基板１３の表面側に配置されるクッション材１４と、基板１３の表面に沿った前後方向ＦＲに延びる複数のスリット３５の間に形成され、クッション材１４側から入力される荷重によって、基板１３の表面に直交する上下方向でクッション材１４と反対側に弾性変形可能なブリッジ部材３４と、を備える。このような構成によれば、クッション材１４側から入力された荷重によって、ブリッジ部材３４の帯状部３９が荷重の入力方向に弾性変形することで、座体等の座体４４の底付き感を抑えることができる。
また、ブリッジ部材３４は、基板１３の表面よりもクッション材１４側に突出し、前後方向ＦＲに延びる帯状部３９と、帯状部３９の前後方向ＦＲの両端部にそれぞれ形成され、基板１３に一体に連結された連結部３４ａ，３４ｂと、を備える。このような構成によれば、ブリッジ部材３４の帯状部３９は、基板１３の表面よりもクッション材１４側に突出しているので、クッション材１４側から入力される荷重を、ブリッジ部材３４で確実に受けることができ、底付き感を、より確実に抑えることができる。また、ブリッジ部材３４は、帯状部３９の両端部の連結部３４ａ，３４ｂによって、基板１３に一体に連結されているので、部品点数や組立の手間が増えることもない。
さらに、ブリッジ部材３４の表面に沿った前後方向ＦＲの沿面寸法がスリット３５よりも長い。これにより、クッション材１４側から入力される荷重によるブリッジ部材３４の弾性変形が、周囲の基板１３によって阻害されにくい。
このようにして、座体等の椅子用荷重支持部材の底付き感を抑えて座り心地を高めるとともに、耐久性、及び組立性に優れたものとすることができる。
【００４１】
また、ブリッジ部材３４は、帯状部３９と連結部３４ａ，３４ｂとの間に、基板１３の表面に対してクッション材１４側とは反対側に向かってＵ字状に湾曲した湾曲支持部３７，３８をさらに備え、帯状部３９は、基板１３の基部３１の表面３１ｆと平行に延びている。
このように、帯状部３９の両端部を湾曲支持部３７，３８で支持し、帯状部３９を基板１３の表面と平行に延びるようにすることで、帯状部３９の全体で、クッション材１４側から入力される荷重を受けることができる。
また、U字状の湾曲支持部３７，３７が広がるように弾性変形することで、クッション材１４側から荷重が入力されたときのブリッジ部材３４の撓み量を、より多く確保できる。
【００４２】
また、ブリッジ部材３４は、基板１３において、着座者の座骨を支持する領域に形成されている。このように構成することで、着座者が着座したときに、底付き感を感じるのを確実に抑えることができる。また、ブリッジ部材３４を、着座者の座骨を支持する領域のみに設けることで、基板１３全体の剛性が低下するのを抑えることができる。
【００４３】
また、ブリッジ部材３４は、前後方向ＦＲに交差する左右方向ＬＲに複数並設されている。このように、複数のブリッジ部材３４で弾性変形部３３を構成することで、各ブリッジ部材３４を弾性変形しやすくすることができる。
【００４４】
また、ブリッジ部材３４は、左右方向ＬＲに複数並設されているので、複数のブリッジ部材３４のそれぞれは、それぞれのブリッジ部材３４に作用する着座者による荷重に応じて弾性変形する。つまり、着座者の座骨の形状等に合わせて、複数のブリッジ部材３４の変形量が椅子の幅方向で異なる。これによって、複数のブリッジ部材３４が設けられた領域を、正面視において、着座者による荷重に応じた下向きのカーブ状に変形させやすくなる。
これに対し、ブリッジ部材３４を、前後方向ＦＲに複数並設し、それぞれのブリッジ部材３４を左右方向ＬＲに延びるように設けた場合、各ブリッジ部材３４は、帯状部３９における左右方向ＬＲの中央部が下方に下がるように弾性変形する。つまり、着座者の座骨の形状（左右方向の位置や間隔）は個々に異なるが、複数のブリッジ部材３４は、左右方向ＬＲにおいて全て同じ位置で下方に変形する。
すなわち、上記実施形態のごとく、ブリッジ部材３４を左右方向ＬＲに複数並設することで、着座者の座骨の形状等に合わせて、複数のブリッジ部材３４が弾性変形して下向きのカーブ状に変形するので、着座感を高めることができる。
【００４５】
また、ブリッジ部材３４に隣接した位置に、ブリッジ部材３４とはスリット３５を隔てて形成され、基部３１の表面３１ｆに沿って前後方向ＦＲに延びる延設部４０が形成されている。このような構成によれば、着座者の荷重によって各ブリッジ部材３４が弾性変形しつつも、延設部４０によって基部３１が、前後方向ＦＲに延びるように変形するのを抑えることができる。したがって、ブリッジ部材３４の周囲の部位においても、着座者の荷重を確実に支持することができる。
【００４６】
また、上述したような椅子１は、床面Ｆに設置される脚部２と、脚部２に支持され、上記したような座体４からなる座体４と、を備える。
このように構成することで、座体４の底付き感を抑えることができる。ブリッジ部材３４の帯状部３９は、基板１３の表面よりもクッション材１４側に突出しているので、クッション材１４側から入力される荷重を、ブリッジ部材３４で確実に受けることができ、底付き感を、より確実に抑えることができる。
【００４７】
（その他の実施形態）
なお、この発明は上記の実施形態に限定されるものではなく、その要旨を逸脱しない範囲で種々の設計変更が可能である。例えば、上記の実施形態は、荷重支持体が座部である実施形態であるが、同様の構造を背凭れ部に採用することも可能である。
【符号の説明】
【００４８】
１  椅子
２  脚部
４  座体（椅子用荷重支持部材）
１３  基板
１４  クッション材
１５  張材
３１  基部
３１ｆ  表面
３３  弾性変形部
３４  ブリッジ部材
３４ａ、３４ｂ  連結部
３４ｆ  表面
３５  スリット
３６  ブリッジ本体
３７、３８  湾曲支持部
３９  帯状部
Ｆ  床面
【図１】
2018075079.tif 000003
【図２】
2018075079.tif 000004
【図３】
2018075079.tif 000005
【図４】
2018075079.tif 000006
【図５】
2018075079.tif 000007